(57)【要約】【課題】撮影し保存した大量の画像ファイルの中から、所定の画像ファイルを容易に検索することができる画像記録装置を得る。【解決手段】画像表示手段に表示された画像ファイルの前記撮影情報から画像検索情報を生成する画像検索情報生成手段と、画像検索情報を選択可能に表示する画像検索情報表示選択手段と、画像検索情報表示選択手段に表示された少なくとも１以上の画像検索情報を選択し、この画像検索情報に基づいて画像ファイルを検索して画像表示手段に表示する画像検索手段とを有する画像記録装置による。【選択図】図５
2008109229.tif 000002
【特許請求の範囲】
【請求項１】
被写体を表す光学像を撮像手段にて電気信号に変換し、この電気信号を映像処理信号に変換する信号処理手段と、
前記信号処理手段により変換された映像信号を画像ファイルとして記録する画像記録手段と、
前記画像ファイルの記録とともに撮影動作に用いた条件である撮影情報を記録する撮影情報記録手段と、
前記記録された画像ファイルを表示する画像表示手段とを備え、
前記画像表示手段に表示された画像ファイルの前記撮影情報から画像検索情報を生成する画像検索情報生成手段と、
前記画像検索情報を選択可能に表示する画像検索情報表示選択手段と、
前記画像検索情報表示選択手段に表示された少なくとも１以上の画像検索情報を選択し、この画像検索情報に基づいて画像ファイルを検索して画像表示手段に表示する画像検索手段とを有することを特徴とする画像記録装置。
【請求項２】
上記画像検索情報の表示を制御する画像検索候補表示手段をさらに有し、
上記画像検索情報生成手段及び上記画像検索情報表示選択手段は、上記画像検索候補表示手段が上記画像検索情報の表示を許可している場合にのみ実行することを特徴とする請求項１に記載の画像記録装置。
【請求項３】
上記画像検索情報は、少なくとも上記撮影情報に含まれる属性と値の対で構成されることを特徴とする請求項１または２に記載の画像記録装置。
【請求項４】
上記画像検索情報表示選択手段は、複数ある画像検索情報から少なくとも１つ以上を組み合わせる論理演算によって検索条件を指定することができることを特徴とする請求項１乃至３のいずれかに記載の画像記録装置。
【請求項５】
上記画像検索情報表示選択手段は、上記撮影情報に含まれる属性から想定される複数の値を表示し、表示された値から任意の値を選択可能とすることを特徴とする請求項１乃至４のいずれかに記載の画像記録装置。
【請求項６】
前記画像検索手段により検索された記録画像のみ順次再生可能とする検索画像再生手段をさらに有することを特徴とする請求項１乃至５のいずれかに記載の画像記録装置。
【発明の詳細な説明】
【技術分野】
【０００１】
本発明は、撮影した写真画像をファイル形式で記録する画像記録装置に関するもので、特に、記録された画像ファイルの検索を容易に行なうことができる画像記録装置に関するものである。
【背景技術】
【０００２】
撮影した写真画像をファイル形式で記録する画像記録装置としてデジタルカメラが知られている。デジタルカメラは、不揮発性メモリで構成されたメモリーカード等を記録媒体として、画像ファイルを記録し保存する。このようなデジタルカメラを用いると、撮影した画像を一旦保存した後であっても従来の銀塩カメラとは異なり、削除することが容易であるので、手軽に撮影して保存することができる。このような手軽さから多数の画像を撮影してメモリーカードに保存したままにするユーザーが増えている。また、近年のメモリーカードの記憶容量の拡大と低価格化によって、撮影時の画像サイズにもよるが、一枚のメモリーカードに１０００以上の画像ファイルを保存することができるので、とりあえず撮影をしておき、大量に貯まった画像ファイルの中からユーザーが本当に保存したい画像ファイルのみをパーソナルコンピュータなどの情報処理端末に移動させて保管する際、又はプリンターを使用して印刷して保管する際に、所望の画像ファイルのみを選択するための検索機能が重要となる。また検索した結果を容易に確認できる機能も重要となる。
【０００３】
デジタルカメラのメモリーカードに記録された画像ファイルを検索する技術として、デジタルカメラの再生操作によって順次再生する画像ファイルの再生時間を、検索条件に合致するものと合致しないもので変化させて、検索条件に合致する画像ファイルの再生時間を、合致しない画像ファイルの再生時間よりも長くすることで、ユーザーが所望する画像ファイルを発見しやすくする発明が知られている（例えば特許文献１参照）。
【０００４】
また、デジタルカメラで撮影した画像をパソコンに保存して、当該画像ファイルと各画像ファイルが撮影された際に付与される撮影条件情報を関連付けて保存するデータベースと、当該画像ファイルから画像の特徴量と抽出する特徴抽出手段とを備えた画像検索装置によって、撮影条件と特徴量によって画像同士の相関を導き出し、相関度合いの高い画像を抽出する発明が知られている（例えば特許文献２参照）。
【０００５】
また、撮影した画像を検索する機能を有するデジタルカメラにおいて、撮影時に取得した位置情報や、画像に含まれる特徴を演算によって算出した特徴量を組み合わせて画像ファイルをグルーピングして各画像の相関を計算することで、検索処理をより迅速に行なうことができる発明が知られている（例えば特許文献３参照）。
【０００６】
【特許文献１】特開２００６−１５７８８４号公報
【特許文献２】特開２００６−１６４００８号公報
【特許文献３】特開２００５−０３９８５８号公報
【０００７】
特許文献１に記載の発明は、検索条件が設定された画像ファイルに対する検索処理である。当該画像ファイルに対する検索条件の設定は、ユーザーが明示的に行なう必要がある。ところが、大量の画像ファイルの一つ一つに対してユーザーが検索条件を付与することは煩雑である。
【０００８】
特許文献２記載の発明は、デジタルカメラで撮影した画像をパソコンに保存し、大量に保存された画像ファイルからお気に入りの１枚を検索するときの検索方法に関するものであって、画像の撮影条件を画像と関連付けて保持するデータベースと、特徴量抽出手段によって当該画像から抽出する特徴量によってデータベース検索を行い、ヒットした１件に類似の画像を特徴量による検索によって行うことができるものである。しかしながら、デジタルカメラのみによって画像の検索処理を行うことはできず、当該手段とデータベースをデジタルカメラの内部に納めることは困難であり、仮に納める場合にはデジタルカメラの筐体を大きくする必要がある。
【０００９】
特許文献３記載の発明は、１の画像の特徴との相関を演算によって求めることで他の画像を検索することができ検索条件の一部を入力手段によってユーザーが入力する必要がある。また、撮影時の位置情報を画像ファイルに関連付けることでこの位置情報によって検索を行なうことができることに特徴がある。
【００１０】
また、本願の出願人は特願２００５−１０５６８３において、撮影した画像ファイルに付与される日付情報によって、ユーザーが印刷したい画像ファイルの選択を行なうことができ、画像ファイルの印刷を容易に行なうことができる画像記録装置に関する発明を出願している。
【００１１】
上記いずれの発明においても、膨大な量の画像ファイルの中から、所望する画像ファイルの検索をするためは、検索条件として利用可能な情報と当該画像ファイルを人為的手段によって関連づける必要がある。これらの方法において検索条件を詳細に生成した場合、画像ファイルを検索するためには複数の検索条件を画像ファイルと関連付ける必要がある。従って、利用者は、選択可能な検索条件が詳細に設定されることを理解している必要が生じる。すなわち、詳細な検索条件を選択可能であっても、利用者が所望する画像ファイルのために如何なる検索条件が設定可能であるか、予め知らされていることが必要となり、検索条件をどのように指定することができるのか利用者が判別して選択し、検索条件とすることができなければならず、容易に検索を行なうことは困難である。
【発明の開示】
【発明が解決しようとする課題】
【００１２】
本発明は上記問題を鑑みてなされたものであって、撮影した写真画像を表示する際に、この写真画像とともに記録されている撮影情報から検索条件に指定可能な情報を生成し、この生成した情報と当該写真画像を同時に選択可能に表示することによって、画像ファイルの検索を容易に行うことが出来る画像記録装置を提供することを目的とする。
【課題を解決するための手段】
【００１３】
本発明は、被写体を表す光学像を撮像手段にて電気信号に変換し、この電気信号を映像処理信号に変換する信号処理手段と、信号処理手段により変換された映像信号を画像ファイルとして記録する画像記録手段と、画像ファイルの記録とともに撮影動作に用いた条件である撮影情報を記録する撮影情報記録手段と、記録された画像ファイルを表示する画像表示手段とを備えた画像記録装置であって、画像表示手段に表示された画像ファイルの前記撮影情報から画像検索情報を生成する画像検索情報生成手段と、画像検索情報を選択可能に表示する画像検索情報表示選択手段と、画像検索情報表示選択手段に表示された少なくとも１以上の画像検索情報を選択し、この画像検索情報に基づいて画像ファイルを検索して画像表示手段に表示する画像検索手段とを有することを最も主な特徴とする。
【００１４】
また、上記画像記録装置において、画像検索情報の表示を制御する画像検索候補表示手段をさらに有し、画像検索情報生成手段及び上記画像検索情報表示選択手段は、画像検索候補表示手段が上記画像検索情報の表示を許可している場合にのみ実行するようにしてもよい。
【発明の効果】
【００１５】
本発明によれば、画像記録装置の画像検索処理において、検索条件を指定する際に、ユーザーが指定する画像から検索条件の候補を抽出し、指定することで検出条件として利用できるようにしていることで検索条件の指定が素早く簡単にできる。また、本発明によれば、ユーザーが記録画像を再生して確認している段階で、すべての画像において検索条件の候補が表示されると操作が煩雑になるため、ユーザーから要求があった時に画像から抽出される検索条件の候補を表示するようにしたので、よりスムーズに検索条件の指定を行なうことができる。
【発明を実施するための最良の形態】
【００１６】
以下、本発明の実施形態について図を用いて説明する。画像記録装置であるデジタルカメラの例を示す外観図を図１から図３において示す。図１は背面外観図、図２は上部外観図、図３は前面外観図である。
【００１７】
図１において、画像記録装置の背面には、ＡＦ（オートフォーカス）で焦点距離があったことを利用者に知らせるための発光ダイオード（以下「ＬＥＤ」という）（８）、ストロボ充電完了をユーザーに知らせるためのＬＥＤ（９）、光学ファインダ（６）、ズームをＷｉｄｅ方向あるいはＴｅｌｅ方向に動作させるためのスイッチ（ＳＷ３、ＳＷ４）、画像記録装置本体の電源をＯＮ／ＯＦＦするための電源スイッチ（１３）、撮影した写真画像の表示や設定画面の表示を行う画像表示手段である液晶表示素子（以下「ＬＣＤ」という）モニタ（１０）、上記ＬＣＤモニタ（１０）に表示する設定画面において各種設定を行う際に使用する上下左右キー（ＳＷ７、ＳＷ１０、ＳＷ１１、ＳＷ８）、セルフタイマースイッチ（ＳＷ５）、当該画像記録装置の動作条件などの設定時にユーザーが選択した項目や設定値を決定するＯＫスイッチ（１２）、設定画面などを表示するメニュースイッチ（ＳＷ６）、ＬＣＤモニタ（１０）の表示動作をＯＮ／ＯＦＦするディスプレイスイッチ（ＳＷ９）を有している。
【００１８】
図２において、画像記録装置の上部にはレリーズシャッター（ＳＷ１）、いろいろな撮影モードや再生モードなどの切り替えを行うモードダイヤル（ＳＷ２）、撮影枚数や撮影残枚数、バッテリーエンド表示などをおこなうサブＬＣＤ（１）を有している。
【００１９】
図３において、画像記録装置の前面には、画像記録装置の動作電源となる電池を入れる電池ホルダーと記録手段であるメモリーカードを入れるメモリースロットを格納し保護する電池蓋（２）、レンズを格納する鏡胴ユニット（７）、リモコン受光部（６）、オートフォーカスを実現するために被写体までの距離を測定する測距ユニット（５）、ストロボ発光部（５）、光学ファインダ（４）を有している。
【００２０】
図４は、本発明に係る画像記録装置であるデジタルカメラの機能ブロック図である。図４において、デジタルカメラ１が有する撮像手段は、レンズユニット２１、ＣＣＤ２２、ＣＣＤを駆動するＴＧ（制御信号発生器）２３、ＣＣＤ出力電気信号（アナログ画像データ）をサンプリングするＣＤＳ２４、このサンプリングされたデータのゲインを調整するＡＧＣ（ＡＵＴＯ  ＧＡＩＮ  ＣＯＮＴＲＯＬ）２５、デジタル信号に変換するＡ／Ｄ変換器２６から構成されている。
【００２１】
レンズユニット２１を介してＣＣＤ２２で受光した画像は、デジタル映像信号に変換されて信号処理ＩＣ２７に入力される。撮像手段からの入力信号を表示可能な形式に変換してメモリに保存する画像処理手段であるＹＵＶ変換部２８およびリサイズ処理部２９と、表示信号出力手段である表示出力制御部３０と、色情報を抽出する色情報抽出手段であるＣＰＵ３１は全て信号処理ＩＣに含まれている。
【００２２】
信号処理ＩＣ２７は、ＣＣＤ２２への同期信号出力と同期信号に合わせたデータの取り込みを行うＣＣＤインターフェース３３と、入力されたデジタル画像信号を表示可能や記録が可能なＹＵＶのデータ形式に変換するＹＵＶ変換部２８、表示や記録のサイズにあわせて画像サイズを変更するリサイズ処理部２９、表示出力を制御する表示出力制御部３０、ＪＰＥＧで記録する場合のデータ圧縮部３２、画像データのメモリーカードへの書き込みを制御するメディアＩ／Ｆ３３、全体のシステム制御や色情報の抽出などを行っているＣＰＵ３１によって構成されている。
【００２３】
表示出力制御部３０はカメラに内蔵されているＬＣＤモニタ１０に出力を行うための、同期信号などの信号を付加して信号出力を行う。ＳＤＲＡＭ３４は、画像データおよびＪＰＥＧ圧縮データを一時保管するメモリと、表示用データを保持するメモリと、ＣＰＵのＲＡＭとを兼ねている。ＲＯＭ３５には、カメラの制御を行う制御プログラムなどがあり、このプログラムおよびデータをもとにＣＰＵが動作する。
【００２４】
上記構成を有するデジタルカメラ１を用いた静止画撮影について説明する。レリーズシャッタボタンが押されると、撮影に先立ちＡＦ(ＡＵＴＯ  ＦＯＣＵＳ）処理が行われる。例えばフォーカスレンズを移動させながらコントラストの最大値を見つける山登りＡＦなどが行われ、被写体にフォーカスを合わせる。次に静止画撮影用の電子シャッタ本数の計算/設定と絞りの計算/設定が行われ（ＡＥ（ＡＵＴＯ  ＥＸＰＯＵＳＲＥ）処理）、記録用の露光が行われる。露光完了時点でメカシャッタが閉じられ、ＣＣＤ２２より静止画用のＲＡＷデータが出力される。レリーズ処理１（半押し），レリーズ処理２（全押し）を搭載しているデジタルカメラではレリーズ処理１時においてＡＦやＡＥ処理の計算を行い、レリーズ２処理で設定および記録用の露光が行われるような制御になっているのが一般的である。
【００２５】
静止画用ＲＡＷデータはＳＤＲＡＭ３４に取り込まれる。例えばインタレース転送であれば、複数回の転送によって全てのＣＣＤデータがＲＡＷデータとしてＳＤＲＡＭ３４に書き込まれる。全てのＲＡＷデータは、ホワイトバランス（以下「ＷＢ」という）のゲイン乗算や、ガンマ補正、ＲＧＢ補間処理を経て、ＹＵＶ変換部２８でエッジ強調や色設定などの画像処理を行うとともにＹＵＶデータに変換されてＳＤＲＡＭ３４に書き戻される。ＷＢの設定値はＣＣＤ２２から出力されるＲＡＷデータを信号処理ＩＣ２７に取り込む時に得られるＲＧＢの積算結果を元にして計算する。一般的にはＧ画素に対するＲ画素、Ｂ画素の割合を計算しＲ＝Ｇ＝Ｂとなるようなゲインをそれぞれの画素に乗算する。ただしこの演算処理で色を合わせることができるのは白色の被写体を撮影した場合であり、一般撮影においては、撮影画像から白色を抽出する処理を行い、その抽出画像に対し上記処理を行うことでＡＷＢが実現できる。
【００２６】
ＹＵＶに変換されたデータはフルサイズ（ＣＣＤサイズ）であり、記録画像サイズがＣＣＤサイズよりも小さいサイズで記録される場合は、リサイズ部２９で画像が縮小される。撮影データの表示を行う場合も小さいサイズに縮小し、ＳＤＲＡＭ３４に書き戻され、表示出力制御部３０を介してＬＣＤモニタ１０に送られて表示が行われる。記録用に用意されたＹＵＶ画像は、圧縮伸張部３２でＪＰＥＧ圧縮が行われる。ＪＰＥＧ圧縮結果はＳＤＲＡＭ３４に書き戻され、ヘッダ追加を付加する処理が行われた後に、記憶手段であるメモリーカード３６へ画像ファイルとして保存される。
【実施例１】
【００２７】
次に本発明にかかる画像記録装置を用いて行なう、画像ファイル検索の実施形態について、図面に基づいて説明する。図５は、検索処理を行なうデジタルカメラ１のＬＣＤモニタ１０に表示される画面例である。図５において、画面１００には、記録されている画像ファイルの再生画像１０１と、この再生画像１０１の撮影情報から検出キーを抽出して生成された画像検索情報１０２を表示している例である。画面１００において、左側に縦に並んで表示されている画像検索情報は、撮影情報に記録されている情報の区分によって決定される検索条件の種別（属性）情報１０２ａであり、右に縦に並んでいる検索条件情報は上記検索条件の属性に対応するキー情報１０２ｂである。キー情報１０２ｂとは、検索条件情報において選択可能な情報をいう。
【００２８】
図５に示した例では、種別情報１０２ａとして、日付（ＤＡＴＥ）、ファイルフォーマット（FILE FORMAT）、画像サイズ及び画質（PIC
QUALITY/SIZE）、ＩＳＯ感度（ISO SETTING）、ＷＢ（WHITE BALANCE）、シーン判定（SCENE）、カメラメモ（CAMERA MEMO）が表示されている。それぞれの検索条件に対するキー情報１０２ｂとして、日付では「２００６／０７／２６」、ファイルフォーマットでは「ＪＰＥＧ」を選択した状態の表示例である。
【００２９】
上記のように、記録されている画像ファイルをＬＣＤモニタ１０に表示する場合に、当該画像ファイルの撮影情報から画像検索情報１０２を選択可能に表示して、表示された画像検索情報１０２からユーザーが検索条件を決定できるようにしている。より具体的な例で言うと、ユーザーがデジタルカメラ１の操作部を操作することによって、デジタルカメラ１を再生モードで動作させ、所定の操作を行なうことで記録されている画像ファイルを順次、ＬＣＤモニタ１０に表示して、ユーザーが気になる画像が表示された時に、その表示されている画像ファイルの撮影情報から画像検索情報１０２を生成して図５に示すように選択可能な形式で表示し、表示された画像検索情報１０２の中からキー情報１０２ｂを決定して検索条件を設定することができる。
【００３０】
上記の画像検索情報生成処理についてより詳細な説明をする。記録されている画像ファイルには撮影日時や、ファイルフォーマット、記録ＩＳＯ感度など撮影時に決定される撮影情報が格納されている。具体的には画像ファイルのヘッダー情報に上記各種の情報を格納することができる。一般的に画像ファイルを記録するフォーマットとしてExif(Exchangeable image file format)規格がある。Exif規格で記録される画像ファイルは、撮影画像のデータとあわせて撮影時の様々な付属情報を画像ファイルとして保存する。Exif規格では必ず主画像とともに記録しなければならない付属的な情報や、メーカーが自由に記録してよい情報（メーカーノート）をヘッダーに格納する。
【００３１】
図６は、上記画像検索情報生成処理の流れを示すフローチャートである。前述したように撮影情報は画像ファイルを構成するヘッダー情報として記録される。まず、検索情報の候補である画像検索情報１０２を生成するために種別情報を１つ設定し（４０１）、設定された種別情報を撮影情報のヘッダーの中から検索する（４０２）。詳細は記述しないが、例えばファイルの形式がExif規格であるならば基本的な種別情報については、それぞれ指定されるタグ番号と、フォーマットで記述されるので、設定された検索条件の属性から一意に決まるタグ番号を指定して検索すればよい。
【００３２】
次に指定された種別情報１０２ａが検索された場合は、その属性から決まるタグ番号に対するキー情報１０２ｂを抽出し、種別情報１０２ａと対応付けてＳＤＲＡＭ３４に記憶する。種別情報１０２ａは対応するタグにより数値データや、アスキーの文字列で表現される。
【００３３】
続いて検索条件の候補となる種別情報１０２ａが他にも存在するかをチェックし（４０６）、存在する場合は種別情報１０２ａを更新して（４０７）、上記の処理４０２から処理４０７を繰り返す。検索条件の候補となる種別情報１０２ａについてはあらかじめ基本的な項目を決定しておく。前述した図５は種別情報１０２ａとして、日付、ファイルフォーマット、画像サイズ、画質、ＩＳＯ感度、ＷＢ、シーン判定、カメラメモを想定した例である。
【００３４】
図７は、上記の画像検索情報生成処理によって生成されＳＤＲＡＭ３４に記録された画像検索情報の例である。図７に示すように画像検索情報１０２は種別情報１０２ａとキー情報１０２ｂによって構成されるテーブル構造を有しＳＤＲＡＭ３４に記録されている。種別情報１０２ａ及びキー情報１０２ｂは、図７のようにアスキーコードによる文字列が記録されてもよいが、それぞれの情報を数値データに読み替えする情報を別に用意しておき、数値データで記憶するようにしてもよい。例えば種別情報１０２ａにおいて数値データ＝１はISO settingの情報を表わし、これに対応するキー情報１０２ｂが数値データの０であれば、AUTOを示すものであるなど読替処理をしてもよい。
【００３５】
上記のように、本発明に係る画像記録装置において、撮影し記録した画像ファイルを検索する際に、画像検索情報生成処理を行い、当該処理の結果を画像ファイルとともにＬＣＤモニタ１０に選択可能に表示することで、ユーザーが記録画像を順次再生している過程で、気になる画像（例えば友人とのスナップショット）を見つけたとき、その画像から得られる検索情報を表示選択させることができる。つまりはここで得られる検索情報はその画像を特徴付けていると言える。このようにすることでユーザーが所望する検索条件を簡単に設定することができる。
【実施例２】
【００３６】
次に本発明に係る画像記録装置における別の実施形態を説明する。図８、図９、図１０はＬＣＤモニタ１０に表示された画像ファイルとともに、一覧表示される画像検索情報表示の別の例である。既に説明した図５において、ファイルフォーマットを選択すると図８に示す表示になる。画面１００には画像ファイル１０１と共に、画像検索情報の一つであるファイルフォーマットを指定する画面が表示される。この例では再生画像のファイルフォーマットがＪＰＥＧであるので最初にＪＰＥＧが選択されている。図８において、選択できる画像検索情報はＪＰＥＧ以外にもＴＩＦＦやＤＮＧ（Digital Negative Format)がキー情報１０２ｂとして選択できるようになっている。
【００３７】
図９に示した表示例は、図５において、ＷＢ（ホワイトバランス）を選択した場合の表示例である。図９において、図８の例と同様で最初に再生画像でのホワイトバランスであるＡＵＴＯが選択されており、その他のホワイトバランスも選択できるようにしている。
【００３８】
図１０に示した表示例は図５に示した画面を表示している状態で、ＤＡＴＥ（日付）を選択した場合の表示例である。図１０において、図８の例と同様に、表示されている画像ファイルが撮影され日付が自動的に選択されている。図１０の画面おいて、表示されている日付を変化させて検索したい画像ファイルの撮影日付の範囲を画像検索情報として設定することができる。
【実施例３】
【００３９】
次に本発明に係る画像記録装置を用いて行なう画像検索処理について図１１のフローチャートを用いて説明する。図１１において、検索条件を取得する。検索条件は既に説明したとおり画像検索情報１０２として、種別情報１０２ａとキー情報１０２ｂの組として得てＳＤＲＡＭ３４に記録されているものである（９０１）。次に検索対象となる画像ファイルを設定する。当該画像記録装置には、通常複数毎保存されているので、最初に記録されている画像ファイルを検索対象とすればよい（９０２）。本実施例では画像検索情報は画像のヘッダー部分に記録されているのでヘッダー情報を読み出し（９０３）、処理９０１で取得した画像検索情報１０２によって検索処理を行なう。画像検索情報１０２と同じキー情報１０２ｂを有する画像を検索した場合、このキー情報１０２ｂに対応する種別情報１０２ａを保存する（９０５）、（９０６）。
【００４０】
次に、上記種別情報１０２ａと、処理９０１で取得した種別情報１０２ａが一致するかをチェックし（９０７）、一致するならばこの画像のＩＤを格納する。続いてまだ未検索の画像ファイルがあるか否かチェックして（９０９）、未検索の画像ファイルが存在するならば、検索対象となる画像ファイルを更新して（９１０）、更新された画像ファイルに対して処理９０３から処理９１０を繰り返して実施する。この再帰処理は未検索の画像ファイルが存在しなくなるまで繰り返し、未検索画像ファイルが存在しなくなった段階で、格納されている画像ＩＤが指定した検索条件にヒットする画像ファイルである。このＩＤをリストとしてＳＤＲＡＭ３４に記録しておく。この例では画像のヘッダー部分に検索条件が格納されているとしたので画像データすべてを検索する必要がなく比較的高速に検索をすることができる。検索後の画像再生では生成された上記検索マッチファイルリストより該当する画像のみ順次再生するようにすればユーザーが所望する画像のみ閲覧することができる。
【実施例４】
【００４１】
次に本発明に係る画像記録装置を用いて行なうことができる画像印刷処理の実施形態について説明する。図１２は、上記画像検索処理によって検索された画像ファイルをまとめて指定して、一括印刷操作を行う処理を示すフローチャートである。操作部によって印刷ファイルの指定に検索画像指定を行うと（１００１）、画像検索フローで示されている画像検索を行い、検索マッチファイルリストを生成する検索マッチファイルリストから画像ファイル名を取得し、図１３で示されるようなリストテーブルを作成する（１００２）。
図１３のリストテーブルを元に図１４のプリンターへの印刷要求の例（複数画像の場合）を作成し、プリンターに送信する（１００３）。その後、プリンターから印刷結果の応答を待ち（１００４）、正常終了の場合は印刷ファイルの印刷済みフラグを設定し更新する（１００５）。プリンターへは複数ファイルの印刷要求を行っているので、全ての印刷結果を受信したか判定を行う（１００６）。未受信の結果がある場合は（１００４）に戻って受信待ちとなる。
現在のデジタルカメラでは顔検出機能を搭載しているものも複数発売されており、記録画像とともに顔がいくつ検出されたかについての情報をヘッダーに記録することができる。この情報を画像検索条件すれば、例えば人物が撮影されている画像の印刷リストテーブルを作成し、印刷枚数も人物の数に応じて設定することで簡単に人数分の人物写真の印刷ができてしまう。
【産業上の利用可能性】
【００４２】
本発明は、画像記録装置としてデジタルカメラではなくハンドスキャナを画像入力装置とし、個人情報端末を画像処理装置として組み合わせて動作させることにより構成する画像記録システムにも適用できる。
【図面の簡単な説明】
【００４３】
【図１】本発明に係る画像記録装置の例を示す外観背面図である。
【図２】本発明に係る画像記録装置の例を示す外観上面図である。
【図３】本発明に係る画像記録装置の例を示す外観前面図である。
【図４】本発明に係る画像記録装置の例を示す機能ブロック図である。
【図５】本発明に係る画像記録装置における画面表示の例を示す説明図である。
【図６】本発明に係る画像記録装置における画像検索情報生成処理の例を示すフローチャートである。
【図７】本発明に係る画像記録装置において生成される画像検索情報の例を示す説明図である。
【図８】本発明に係る画像記録装置における画面表示の例を示す説明図である。
【図９】本発明に係る画像記録装置における画面表示の例を示す説明図である。
【図１０】本発明に係る画像記録装置における画面表示の例を示す説明図である。
【図１１】本発明に係る画像記録装置における画像検索処理の例を示すフローチャートである。
【図１２】本発明に適用可能なデジタルカメラにおいて一括印刷処理の例を示すフローチャートである。
【図１３】本発明に適用可能なデジタルカメラを用いて行なう印刷処理にて作成するリストテーブルの例である。
【図１４】本発明に適用可能なデジタルカメラからプリンターに送信する印刷要求情報の記述例である。
【符号の説明】
【００４４】
１  デジタルカメラ
１００    画面
１０１    再生画像
１０２    画像検索情報
１０２ａ  種別情報
１０２ｂ  キー情報
【図１】
2008109229.tif 000003
【図２】
2008109229.tif 000004
【図３】
2008109229.tif 000005
【図４】
2008109229.tif 000006
【図５】
2008109229.tif 000007
【図６】
2008109229.tif 000008
【図７】
2008109229.tif 000009
【図８】
2008109229.tif 000010
【図９】
2008109229.tif 000011
【図１０】
2008109229.tif 000012
【図１１】
2008109229.tif 000013
【図１２】
2008109229.tif 000014
【図１３】
2008109229.tif 000015
【図１４】
2008109229.tif 000016